(57)【要約】【課題】Ｂｌｕｅｔｏｏｔｈを用いたユーザ認証において、利便性の向上を実現した端末装置を提供すること。【解決手段】端末装置（１）は、ユーザの所有する携帯端末（２）から送信されるＢｌｕｅｔｏｏｔｈ信号を受信する受信部（１１）と、受信したＢｌｕｅｔｏｏｔｈ信号の電波強度を測定する強度測定部（１２）と、測定の結果、所定値以上の電波強度であることを条件に、当該携帯端末（２）のユーザの使用を許可する使用許可部（１４）と、を備える。【選択図】図１
2013190900.tif 000002
【特許請求の範囲】
【請求項１】
ユーザの所有する携帯端末を用いて使用許可を判別する端末装置であって、
前記携帯端末から送信されるＢｌｕｅｔｏｏｔｈ信号を受信する受信部と、
前記受信部が受信した前記Ｂｌｕｅｔｏｏｔｈ信号の電波強度を測定する強度測定部と、
前記強度測定部の測定の結果、所定値以上の電波強度であることを条件に、当該携帯端末のユーザの使用を許可する使用許可部と、
を備える端末装置。
【請求項２】
前記使用許可部は、
前記所定値以上の電波強度である携帯端末が複数存在する場合には、複数の前記携帯端末のうち最も強い電波強度である携帯端末のユーザの使用を許可する、
請求項１に記載の端末装置。
【請求項３】
通信可能に接続された他の端末装置を使用しているユーザを管理するログイン管理部を備え、
前記使用許可部は、
他の端末装置を使用しているユーザに対しては、携帯端末の電波強度に関わらず使用を許可しない、
請求項１又は２に記載の端末装置。
【請求項４】
前記受信部が受信した前記Ｂｌｕｅｔｏｏｔｈ信号に含まれ、前記携帯端末を識別する固有識別情報に基づいて、使用許可可能なユーザであるか否かを判別する認証部を備え、
前記使用許可部は、所定値以上の電波強度の携帯端末のユーザであり、かつ、前記使用許可可能なユーザに対して、使用を許可する、
請求項１から３の何れかに記載の端末装置。
【発明の詳細な説明】
【技術分野】
【０００１】
本発明は、ユーザの所有する携帯端末から送信されるＢｌｕｅｔｏｏｔｈ（登録商標、以下同じ）信号を用いて使用許可を判別する端末装置に関する。
【背景技術】
【０００２】
近年のネットワーク環境の発展に伴い、ユーザには、様々な状況でユーザ認証が要求される。一例としては、社内ネットワーク上においてユーザが端末装置を用いる際に当該ユーザに対して端末装置の使用を許可するか否か判別するようなユーザ認証があげられる。このような判別は、典型的には、ユーザＩＤやパスワードの入力を受け付けることにより行われるが、近年では、他者によるなり済ましを防止する工夫として、ＩＣカードを用いる工夫も広く採用されている。このような方法では、ＩＣカードの所有が条件となるため、ユーザＩＤやパスワード等が他者に取得された場合であっても、ＩＣカードを取得されない限り他者によるなり済ましを防止することができる。
【０００３】
また、ＩＣカードではなく、ユーザが常時所有する割合の高い携帯電話を用いてユーザに対して端末装置を使用させるか否かを判別する工夫も知られている。
例えば、特許文献１には、端末装置に携帯電話が接続されていることを条件とする方法が記載されており、特に、端末装置と携帯電話との接続をＵＳＢ（Ｕｎｉｖｅｒｓａｌ  Ｓｅｒｉａｌ  Ｂｕｓ）接続の他、Ｂｌｕｅｔｏｏｔｈを用いて行うことが可能な点が記載されている。
【先行技術文献】
【特許文献】
【０００４】
【特許文献１】特開２００２−１７６４９２号公報
【発明の概要】
【発明が解決しようとする課題】
【０００５】
ところで、単にＢｌｕｅｔｏｏｔｈを用いて携帯電話が接続されているか否か判別する特許文献１に記載された方法は、必ずしも十分ではなく更なる改善が求められる。
【０００６】
そこで、本発明は、Ｂｌｕｅｔｏｏｔｈを用いたユーザ認証において、更なる利便性の向上を実現した端末装置を提供することを目的とする。
【課題を解決するための手段】
【０００７】
本発明は、ユーザの所有する携帯端末を用いて使用許可を判別する端末装置であって、前記携帯端末から送信されるＢｌｕｅｔｏｏｔｈ信号を受信する受信部と、前記受信部が受信した前記Ｂｌｕｅｔｏｏｔｈ信号の電波強度を測定する強度測定部と、前記強度測定部の測定の結果、所定値以上の電波強度であることを条件に、当該携帯端末のユーザの使用を許可する使用許可部と、を備える端末装置に関する。
【０００８】
また、端末装置の前記使用許可部は、前記所定値以上の電波強度である携帯端末が複数存在する場合には、複数の前記携帯端末のうち最も強い電波強度である携帯端末のユーザの使用を許可することが好ましい。
【０００９】
また、端末装置は、通信可能に接続された他の端末装置を使用しているユーザを管理するログイン管理部を備え、前記使用許可部は、他の端末装置を使用しているユーザに対しては、携帯端末の電波強度に関わらず使用を許可しないことが好ましい。
【００１０】
また、端末装置は、前記受信部が受信した前記Ｂｌｕｅｔｏｏｔｈ信号に含まれ、前記携帯端末を識別する固有識別情報に基づいて、使用許可可能なユーザであるか否かを判別する認証部を備え、前記使用許可部は、所定値以上の電波強度の携帯端末のユーザであり、かつ、前記使用許可可能なユーザに対して、使用を許可することが好ましい。
【発明の効果】
【００１１】
本発明によれば、Ｂｌｕｅｔｏｏｔｈ信号の電波強度を用いてユーザに対して使用の許可を行うため、セキュリティが向上し、利便性の向上を実現することができる。
【図面の簡単な説明】
【００１２】
【図１】本発明の端末装置の概要を示す図である。
【図２】本発明の端末装置の機能構成を示すブロック図である。
【図３】ログイン管理部の一例を示す図である。
【図４】本発明の端末装置の動作例を示す図である。
【図５】本発明の端末装置の動作例を示す図である。
【図６】本発明の端末装置の動作例を示す図である。
【図７】本発明の端末装置の動作例を示す図である。
【図８】本発明の端末装置の処理の流れを示すフローチャートである。
【図９】使用を許可した際に表示されるログイン画面を示す図である。
【図１０】別実施形態の端末装置の機能構成を示すブロック図である。
【図１１】別実施形態の端末装置の動作例を示す図である。
【発明を実施するための形態】
【００１３】
［第１実施形態］
初めに、図１〜図９を参照して、第１実施形態の端末装置１について説明する。
【００１４】
［端末装置１の概要］
図１を参照して、本発明の端末装置１を含む認証システム３を例にとり、本発明の端末装置１の概要について説明する。
認証システム３は、複数の端末装置１Ａ，１Ｂ・・・と、複数の携帯端末２Ａ，２Ｂ・・・と、を含んで構成される。認証システム３では、複数の端末装置１Ａ，１Ｂ・・・の夫々は、社内ネットワーク等を介して互いに通信可能に接続され、また、複数の端末装置１Ａ，１Ｂ・・・の夫々と複数の携帯端末２Ａ，２Ｂ・・・の夫々とはＢｌｕｅｔｏｏｔｈにより互いに通信可能に接続される。
なお、複数の端末装置１Ａ，１Ｂ・・・の夫々は、本発明の端末装置１であり、以下では、夫々を区別する場合には端末装置１Ａ，１Ｂと呼び、夫々を区別しない場合には端末装置１と呼ぶ。また、複数の携帯端末２Ａ，２Ｂ・・・についても、夫々を区別する場合には携帯端末２Ａ，２Ｂと呼び、夫々を区別しない場合には携帯端末２と呼ぶ。
【００１５】
携帯端末２は、好適には携帯電話やスマートフォンであり、少なくともＢｌｕｅｔｏｏｔｈ信号を送信する機能を有する。本実施形態において、携帯端末２は、使用するユーザと一対一で対応付けられている。例えば、携帯端末２Ａは、ユーザＡに対して対応付けられ、携帯端末２Ｂは、ユーザＢに対して対応付けられている。ここで、Ｂｌｕｅｔｏｏｔｈ信号には、携帯端末２を識別する固有識別情報が含まれ、この固有識別情報からＢｌｕｅｔｏｏｔｈ信号を送信した携帯装置２（ユーザと等価である）を特定可能となっている。なお、携帯端末２の種類については、携帯電話やスマートフォンに限られず、ユーザが常時所有する割合が高い携帯型の情報端末であれば、その他の情報端末を用いることとしてもよい。
【００１６】
本実施形態では、端末装置１は、携帯端末２から受信したＢｌｕｅｔｏｏｔｈの電波強度が所定値以上であることを条件に、当該携帯端末２のユーザに対して端末装置１の使用を許可する。図１では、端末装置１Ａに対して携帯端末２ＡのＢｌｕｅｔｏｏｔｈの電波強度が所定値以上であり、携帯端末２ＢのＢｌｕｅｔｏｏｔｈの電波強度が所定値未満であるため、端末装置１Ａは、携帯端末２ＡのユーザＡに対して使用を許可している。なお、図中「Ｂｌｕｅｔｏｏｔｈ（強）」とは、電波強度が所定値以上であることを意味し、「Ｂｌｕｅｔｏｏｔｈ（弱）」とは、電波強度が所定値未満であることを意味する。
【００１７】
また、本実施形態では、端末装置１は、他の端末装置１との間で端末装置１を使用しているユーザについての情報を共有しており、既に端末装置１を使用しているユーザの携帯端末２の電波強度が所定値以上であっても、当該ユーザに対して端末装置１の使用を許可しない。図１では、ユーザＡに使用されている端末装置１Ａだけでなく、他の端末装置１Ｂ・・・も端末装置１ＡがユーザＡにより使用されていることを把握しており、ユーザＡが端末装置１Ａを使用している状況で他の端末装置１ＢがユーザＡの携帯端末２Ａから所定値以上の電波強度のＢｌｕｅｔｏｏｔｈ信号を受信したとしても、他の端末装置１Ｂは当該ユーザＡに対して端末装置１Ｂの使用を許可しない。
【００１８】
［端末装置１の構成］
以下、このような端末装置１を実現するための具体的な構成について図２を参照して説明する。なお、複数の端末装置１Ａ，１Ｂ・・・の夫々の構成は、全て同一である。
図２に示すように本発明の端末装置１は、受信部１１と、強度測定部１２と、認証部１３と、使用許可部１４と、ログイン管理部１５と、を含んで構成される。
【００１９】
受信部１１は、所謂Ｂｌｕｅｔｏｏｔｈ受信器であり、携帯端末２から送信されるＢｌｕｅｔｏｏｔｈ信号を受信する。受信部１１は、端末装置１と一体に設けることとしてもよく、端末装置１とは別に外付けのＢｌｕｅｔｏｏｔｈ受信器を用いることとしてもよい。
強度測定部１２は、受信部１１が受信したＢｌｕｅｔｏｏｔｈ信号の電波強度を測定する。
【００２０】
認証部１３は、受信部１１が受信したＢｌｕｅｔｏｏｔｈ信号に含まれる固有識別情報に基づいて、当該Ｂｌｕｅｔｏｏｔｈ信号を送信した携帯端末２のユーザが、当該端末装置１の使用許可が可能なユーザとして設定されたユーザであるか否かを判別する。本実施形態では、複数の端末装置１Ａ，１Ｂ・・・の夫々について使用許可を可能とするユーザを予め設定しておくこととしている。例えば、端末装置１Ａは、ユーザＡ，Ｂに対しては使用許可が可能である一方でユーザＣに対しては使用許可が不可能に設定されている。認証部１３は、Ｂｌｕｅｔｏｏｔｈ信号を送信した携帯端末２のユーザが、予め使用許可が可能に設定されたユーザであるか否かを判別する。
【００２１】
使用許可部１４は、強度測定部１２により測定された電波強度が所定値以上であることを条件に、携帯端末２のユーザに対して端末装置１の使用を許可する。このとき、使用許可部１４は、電波強度が所定値以上である携帯端末２のユーザであっても、当該端末装置１に対して使用許可の設定がされていないユーザに対しては、使用を許可しないことが好ましい。すなわち、端末装置１Ａの使用許可部１４は、ユーザＣの携帯端末２Ｃから受信したＢｌｕｅｔｏｏｔｈ信号の電波強度が所定値以上であっても、使用許可が設定されていないユーザＣに対しては、端末装置１Ａを使用させない。
また、使用許可部１４は、所定値以上の電波強度の携帯端末２のユーザであり、かつ、使用許可が設定されたユーザが複数存在する場合には、当該複数のユーザのうち、電波強度が最も強い携帯端末２のユーザに対して使用を許可することが好ましい。
このとき、電波強度が最も強い携帯端末２のユーザが既に他の端末装置１を使用していた場合には、使用許可部１４は、当該ユーザではなく、次に強い電波強度の携帯端末２のユーザに対して使用を許可することが好ましい。これにより、１のユーザが複数の端末装置１を同時に使用することを防止することができる。
【００２２】
また、使用許可部１４は、端末装置１の使用中に、使用しているユーザの携帯端末２のＢｌｕｅｔｏｏｔｈ信号の電波強度が特定値未満となることを条件に、当該ユーザの使用を終了する。ここで、使用を許可する際の所定値及び使用を終了する際の特定値については、任意に設定することができ、同じ値（電波強度）を採用してもよく、異なる値（電波強度）を採用することとしてもよい。このとき、異なる値を採用する場合には、所定値よりも特定値が小さな値となることが好ましい。すなわち、電波強度が所定値以上になり端末装置１を使用している状況では、電波強度が所定値未満になってもその使用は終了せず、電波強度が特定値未満まで弱くなった場合にその使用が終了する。もちろん、電波強度が特定値未満になる前にユーザが自ら終了指示を行った場合にも、使用許可部１４は、その使用を終了する。なお、使用許可部１４がユーザの使用を終了する際には、終了するタイミングにおける状況を記憶した上でその使用を終了することが好ましく、また、記憶した状況は、当該ユーザが他の端末装置１を使用した際に利用可能であることが好ましい。
【００２３】
ログイン管理部１５は、複数の端末装置１ごとに使用許可が設定されたユーザを記憶する。例えば、端末装置１Ａに対して、使用許可が設定されたユーザとしてユーザＡ，Ｂ・・・等を記憶する（ユーザＣは使用許可が設定されていないと記憶する）。また、ログイン管理部１５は、複数の端末装置１ごとにユーザにより使用中であるか否か、使用中である場合は試用しているユーザを記憶する。例えば、端末装置１ＡがユーザＡに使用されている場合には、その旨を記憶する。
ここで、図３にログイン管理部１５に記憶される各種情報を示す。なお、図３に示すログイン管理部１５のデータ構造は、ログイン管理部１５の理解を容易にするためのであり、このような構造に限られるものではない。すなわち、ログイン管理部１５は、少なくとも、端末装置１ごとに使用許可が設定されたユーザ、及び端末装置１ごとに使用中のユーザを記憶可能であればよい。
【００２４】
［端末装置１のハードウェア構成］
以上説明した端末装置１のハードウェアは、一般的なコンピュータによって構成することができる。一般的なコンピュータは、例えば、制御部として、中央処理装置（ＣＰＵ）を備える他、記憶部として、メモリ（ＲＡＭ、ＲＯＭ）、ハードディスク（ＨＤＤ）及び光ディスク（ＣＤ、ＤＶＤ等）を、ネットワーク通信装置として、各種有線／無線ＬＡＮ装置及びＢｌｕｅｔｏｏｔｈ受信器を、表示装置として、例えば、液晶ディスプレイ、プラズマディスプレイ等の各種ディスプレイを、入力装置として、例えば、キーボード及びポインティング・デバイス（マウス、トラッキングボール等）を適宜備え、これらは、バスラインにより接続されている。このような一般的なコンピュータにおいて、ＣＰＵは、端末装置１を統括的に制御し、各種プログラムを適宜読み出して実行することにより、上述したハードウェアと協働し、本発明に係る各種機能を実現している。
【００２５】
［端末装置１の動作例］
続いて、図４〜図７を参照して、端末装置１がユーザに対し使用を許可する際の動作例について説明する。
【００２６】
図４（１）を参照して、端末装置１Ａは、ユーザＣの携帯端末２Ｃから所定値以上の電波強度のＢｌｕｅｔｏｏｔｈ信号を受信している。ここで、端末装置１Ａは、ユーザＣに対して使用許可の設定がされていないため、端末装置１Ａは、所定値以上の電波強度のＢｌｕｅｔｏｏｔｈ信号を送信している携帯端末２ＣのユーザＣに対して使用を許可しない。
また、図４（２）において、端末装置１Ａは、ユーザＡの携帯端末２Ａから所定値以上の電波強度のＢｌｕｅｔｏｏｔｈ信号を受信している。ここで、端末装置１Ａは、ユーザＡに対して使用許可の設定がされているため、端末装置１Ａは、ユーザＡに対して使用を許可する。
【００２７】
続いて、図５（１）を参照して、端末装置１Ａは、ユーザＡの携帯端末２ＡからＢｌｕｅｔｏｏｔｈ信号を受信しているが、その電波強度が所定値未満であるため、端末装置１Ａは、ユーザＡに対して使用を許可しない。
他方、図５（２）では、端末装置１Ａは、ユーザＡの携帯端末２Ａから所定値以上の電波強度のＢｌｕｅｔｏｏｔｈ信号を受信しているため、端末装置１Ａは、ユーザＡに対して使用を許可する。
【００２８】
続いて、図６を参照して、端末装置１Ａは、ユーザＡの携帯端末２Ａ及びユーザＢの携帯端末２Ｂの双方から所定値以上の電波強度のＢｌｕｅｔｏｏｔｈ信号を受信している。このとき、図６では、ユーザＡの携帯端末２Ａから送信されるＢｌｕｅｔｏｏｔｈ信号の電波強度の方が、ユーザＢの携帯端末２Ｂから送信されるＢｌｕｅｔｏｏｔｈ信号の電波強度よりも強いものとする。その結果、端末装置１Ａは、所定値以上の電波強度である複数の携帯端末２Ａ及び携帯端末２Ｂのうちより電波強度の強い携帯端末２ＡのユーザＡに対して使用を許可し、ユーザＢに対しては使用を許可しない。
【００２９】
続いて、図７（１）を参照して、端末装置１Ｂは、他の端末装置１Ａを使用中のユーザＡの携帯端末２Ａから所定値以上の電波強度のＢｌｕｅｔｏｏｔｈ信号を受信している。なお、端末装置１Ｂは、ユーザＡ及びユーザＢに対して使用許可の設定がされているものとする。このとき、端末装置１Ｂは、ユーザＡが既に他の端末装置１Ａを使用中であるため、ユーザＡに対して使用を許可しない。
また、図７（２）を参照して、端末装置１Ｂは、ユーザＢの携帯端末２Ｂから所定値以上の電波強度のＢｌｕｅｔｏｏｔｈ信号を受信している。図７（２）では、ユーザＢは未だ端末装置１を使用していないため、端末装置１Ｂは、ユーザＢに対して使用を許可する。このとき、ユーザＡが既に他の端末装置１Ａを使用中であるため、ユーザＢの携帯端末２Ｂの電波強度は、所定値以上であれば足り、ユーザＡの携帯端末２Ａの電波強度よりも強い必要はない。
【００３０】
［端末装置１の処理］
続いて、図８を参照して、端末装置１の処理について説明する。
【００３１】
Ｓ１：初めに、端末装置１の受信部１１は、携帯端末２から送信されるＢｌｕｅｔｏｏｔｈ信号を受信する。
Ｓ２：続いて、端末装置１の強度測定部１２は、Ｓ１で受信したＢｌｕｅｔｏｏｔｈ信号の電波強度を測定する。
【００３２】
Ｓ３：続いて、端末装置１の使用許可部１４は、Ｓ２で測定した電波強度が所定値以上であるか否かを判別する。この判別がＹＥＳのときは、処理はＳ４に移り、ＮＯのときは、処理は終了する。
Ｓ４：続いて、端末装置１の認証部１３は、ログイン管理部１５を参照して、所定値以上の電波強度の携帯端末２のユーザが使用許可の設定されたユーザであるか否かを判別する。この判別がＹＥＳのときは、処理はＳ５に移り、ＮＯのときは、処理は終了する。
【００３３】
Ｓ５：続いて、端末装置１の使用許可部１４は、ログイン管理部１５を参照して、所定値以上の電波強度の携帯端末２のユーザであり、かつ、使用許可の設定がされているユーザが、他の端末装置１を使用中であるか否かを判別する。この判別がＮＯ（他の端末装置１を使用していない）のときは、処理はＳ６に移り、ＹＥＳ（他の端末装置１を使用中）のときは、処理は終了する。
Ｓ６：続いて、端末装置１の使用許可部１４は、Ｓ５においてＮＯと判別された携帯端末２のユーザに対して使用を許可する。一例として、使用許可部１４は、使用の許可として、端末装置１の表示画面上に、図９に示すログイン画面１００を表示することとしてもよい。このとき、ユーザＩＤについては、携帯端末２の種別から自動的に入力しておくこととしてもよい。なお、Ｓ６における使用の許可の結果として、ユーザが端末装置１を使用した場合（例えば、端末装置１に対してログインした場合）には、使用許可部１４は、当該ユーザが端末装置１を使用中であることを他の端末装置１に対して送信する。
【００３４】
以上、本実施形態の端末装置１について説明した。このような端末装置１によれば、Ｂｌｕｅｔｏｏｔｈ信号の電波強度を用いてユーザに対して使用の許可を行うため、電波強度の弱い（すなわち、端末装置１から離れた場所にいる）ユーザに対して使用させることがなく、セキュリティの向上を図ることができる。すなわち、ユーザの携帯端末２のＢｌｕｅｔｏｏｔｈ信号が届いてしまう位置にある端末装置１に対する他者のなり済ましを軽減又は防止することができる。
【００３５】
このとき、端末装置１では、使用を許可する電波強度を満たす携帯端末２が複数存在する場合には、最も強い電波強度である携帯端末２のユーザに対して使用を許可する。これにより、端末装置１では、複数のユーザが１の端末装置１を同時に使用することを防止することができる。
【００３６】
また、端末装置１では、他の端末装置１を既に使用中である場合には、Ｂｌｕｅｔｏｏｔｈ信号の電波強度が所定値以上である携帯端末２のユーザであっても使用を許可しない。これにより、１のユーザが複数の端末装置１を同時に使用することを防止することができ、また、他の端末装置１を使用中に当該端末装置１の近傍の端末装置１に対する他者のなり済ましを防止することができる。
【００３７】
また、端末装置１では、使用許可が可能なユーザを予め設定することとしている。これにより、例えば、他部署のユーザに対して使用を許可しないといったように、複数の端末装置１の管理を適切に行うことができる。
【００３８】
［第２実施形態］
続いて、図１０及び図１１を参照して、第２実施形態の端末装置１について説明する。第１実施形態の端末装置１では、使用しているユーザの携帯端末２のＢｌｕｅｔｏｏｔｈ信号の電波強度が特定値未満となることを条件に、当該ユーザの使用を終了することとしているのに対して、第２実施形態の端末装置１では、ユーザが端末装置１に対して何も操作しない状態が継続した場合に（無操作時間に応じて）、当該ユーザの使用を終了する点で異なる。
【００３９】
［端末装置１の構成］
図１０を参照して、第２実施形態の端末装置１の構成について説明する。なお、第１実施形態の端末装置１と同様の構成については、同一の符号を付し、詳細な説明を省略する。
第２実施形態の端末装置１は、受信部１１と、強度測定部１２と、認証部１３と、使用許可部１４と、ログイン管理部１５とに加え、送信停止要求部１６と、無操作時間判別部１７と、送信要求部１８と、を含んで構成される。
【００４０】
送信停止要求部１６は、ユーザによる端末装置１の使用開始を条件として、当該ユーザの携帯端末２に対してＢｌｕｅｔｏｏｔｈ信号の送信停止を要求する。なお、端末装置１の使用開始とは、例えば、図９に示すログイン画面１００において適切なパスワードが入力された結果行われる所定のログイン処理が行われたタイミングを採用することができる。また、Ｂｌｕｅｔｏｏｔｈ信号の送信停止の要求は、任意の方法により行うことができ、端末装置１にＢｌｕｅｔｏｏｔｈ発信器を設けることとし、端末装置１と携帯端末２との間のＢｌｕｅｔｏｏｔｈ通信により要求を行うこととしてもよい。
【００４１】
無操作時間判別部１７は、使用中の端末装置１の無操作時間を測定し、当該無操作時間が所定時間を経過したか否か判別する。なお、無操作とは、キーボードやマウス等の入力装置に対して何らの操作も行われていない状態をいう。
【００４２】
送信要求部１８は、無操作時間判別部１７により無操作時間が所定時間を経過したと判別されることを条件に、使用中のユーザの携帯端末２に対してＢｌｕｅｔｏｏｔｈ信号の送信開始の要求を行う。
電話対応や書類確認等のように端末装置１に対する操作を行うことなく作業を行っていることも考えられ、このような場合にまで直ちにユーザの使用を終了してしまうことは必ずしも好ましくない。そのため、第２実施形態の端末装置１では、送信要求部１８による送信開始の要求に応じて携帯端末２から送信されたＢｌｕｅｔｏｏｔｈ信号の電波強度に応じて、ユーザの使用を終了することとしている。
【００４３】
そこで、第２実施形態の使用許可部１４は、送信要求部１８の送信開始の要求に応じて送信されたＢｌｕｅｔｏｏｔｈ信号の電波強度が所定値以上であるか否かを判別し、ユーザの使用を継続又は終了する。すなわち、電波強度が所定値以上である場合には、使用許可部１４は、当該携帯端末２のユーザが未だ使用中であると判断し、ユーザの使用を継続する。他方、電波強度が所定値未満である場合には、使用許可部１４は、当該携帯端末２のユーザが既に使用していないと判断し、ユーザの使用を終了する。
【００４４】
［端末装置１の動作例］
続いて、図１１を参照して、第２実施形態の端末装置１によるユーザの使用を終了する際の動作例について説明する。
【００４５】
図１１（１）を参照して、ユーザＡが端末装置１Ａの使用を開始すると、端末装置１Ａの送信停止要求部１６は、ユーザＡの携帯端末２Ａに対してＢｌｕｅｔｏｏｔｈ信号の送信停止を要求する。これにより、ユーザＡの携帯端末２ＡからはＢｌｕｅｔｏｏｔｈ信号が送信されなくなる。
【００４６】
図１１（２）を参照して、その後、ユーザＡが端末装置１Ａに対して何らの操作も行わない結果、端末装置１Ａの無操作時間判別部１７が無操作時間が所定時間（例えば、２０分）を経過したと判別すると、端末装置１Ａの送信要求部１８は、ユーザＡの携帯端末２Ａに対してＢｌｕｅｔｏｏｔｈ信号の送信開始を要求する。これにより、ユーザＡの携帯端末２ＡからはＢｌｕｅｔｏｏｔｈ信号が送信されることになる。
【００４７】
図１１（３）を参照して、その後、端末装置１Ａの受信部１１が携帯端末２ＡからＢｌｕｅｔｏｏｔｈ信号を受信すると、端末装置１Ａの使用許可部１４は、携帯端末２Ａの電波強度が所定値以上であるか否かを判別する。なお、図１１（２）において送信要求部１８が携帯端末２Ａに対して送信したＢｌｕｅｔｏｏｔｈ信号の送信開始要求が携帯端末２Ａに届かない可能性もある。そのため、端末装置１Ａの使用許可部１４は、送信要求部１８が送信開始要求を行ってから特定時間（例えば、３０秒）経過しても受信部１１が携帯端末２ＡからＢｌｕｅｔｏｏｔｈ信号を受信していない場合には、電波強度が所定値未満であると判別することが好ましい。
このとき、電波強度が所定値以上である場合には、端末装置１Ａの使用許可部１４は、ユーザの使用を継続する。
【００４８】
図１１（４）を参照して、他方、電波強度が所定値未満である場合には、端末装置１Ａの使用許可部１４は、ユーザＡの使用状況を（当該ユーザが他の端末装置１を使用した際に利用可能に）記憶した上で、ユーザＡの使用を終了する。
【００４９】
以上、第２実施形態の端末装置１について説明した。このような端末装置１によれば、端末装置１の使用を開始したユーザの携帯端末２からＢｌｕｅｔｏｏｔｈ信号が常時送信されることがないため、携帯端末２の電池消費を軽減することができる。
【００５０】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
例えば、上記実施形態において説明した処理（図８）は、その順序に沿って時系列的に行われる処理はもちろん、必ずしも時系列的に処理されなくとも、並列的或いは個別に実行される処理をも含むものである。
【符号の説明】
【００５１】
１・・・端末装置、１１・・・受信部、１２・・・強度測定部、１３・・・認証部、１４・・・使用許可部、１５・・・ログイン管理部、２・・・ユーザ端末、３・・・認証システム
【図１】
2013190900.tif 000003
【図２】
2013190900.tif 000004
【図３】
2013190900.tif 000005
【図４】
2013190900.tif 000006
【図５】
2013190900.tif 000007
【図６】
2013190900.tif 000008
【図７】
2013190900.tif 000009
【図８】
2013190900.tif 000010
【図９】
2013190900.tif 000011
【図１０】
2013190900.tif 000012
【図１１】
2013190900.tif 000013